(57)【要約】【課題】使用済みのパトローネに写真フイルムが簡単に再装填されることを防止する。【解決手段】パトローネに収納される写真フイルムは、その一端が巻芯５に係止される。巻芯５には、係止爪２０と押さえ爪２１が形成されたフイルム係止室１９が設けられている。このフイルム係止室１９には、蛇行スリット状のフイルム挿入口１３が設けられている。フイルム挿入口１３に写真フイルムを差し込む際、写真フイルムを幅方向に曲げて撓ませなければならないため、パトローネの外部から差し入れた写真フイルムを巻芯に係止することはできず、一度使用したパトローネに写真フイルムを再装填することができない。【選択図】　　　　図２
2004012885.tif 000002
【特許請求の範囲】
【請求項１】
写真フイルムを光密に収納するパトローネ本体に回転自在に組み込まれ、写真フイルムの先端部が挿入されるフイルム挿入口と、このフイルム挿入口の内部に係止突起が設けられたパトローネ用スプールであって、写真フイルムの先端部を前記フイルム挿入口に挿入したときに、前記係止突起が写真フイルムの先端部に形成された係止穴に係合するとともに、この係合が外れないように抜け止め突起が写真フイルムの先端部の位置規制を行なうパトローネ用スプールにおいて、
前記フイルム挿入口の少なくとも一部の縁が屈曲しており、写真フイルムの先端部がその幅方向に関して平面状であるときには、前記フイルム挿入口への挿入が阻止されることを特徴とするパトローネ用スプール。
【請求項２】
写真フイルムを光密に収納するパトローネ本体に回転自在に組み込まれ、写真フイルムの先端部が挿入されるフイルム挿入口が形成されたパトローネ用スプールにおいて、
前記フイルム挿入口内部の一方の壁面上に、写真フイルムの先端部に形成された係止穴に係合する少なくとも２つの係止突起が設けられるとともに、
前記一方の壁面に対向する他方の壁面上には、写真フイルムの先端部の位置規制を行うことで、前記係止突起と写真フイルムの先端部との係合が解かれることを防ぐ抜け止め突起が設けられており、
前記抜け止め突起は、前記係止突起の間に入り込む高さに形成されるとともに、写真フイルムの先端部の挿入方向に対する障害面を有しており、
写真フイルムの先端部がその幅方向に関して平面状であるときには、前記フイルム挿入口への挿入が前記障害面によって阻止されることを特徴とするパトローネ用スプール。
【発明の詳細な説明】
【０００１】
【発明の属する技術分野】
本発明は、写真フイルムの再装填が防止できるパトローネに関する。
【０００２】
【従来の技術】
予め未露光の写真フイルムが装填され、購入したその場で写真撮影が可能な１回使い切りタイプのレンズ付きフイルユニットが広く普及している。レンズ付きフイルムユニットは使用後に現像所に持ち込まれ、写真フイルムがパトローネごと取り出される。パトローネが取り出された使用済みのレンズ付きフイルムユニットは、各現像所で引き取られる。
【０００３】
各現像所で引き取られた製品は、製造元のメーカーに回収される。メーカーの工場では大量の使用済み製品が能率よく分解され、部品単位で厳重な検査が行なわれる。再利用可能な部品は、修理工程や検査工程を経て新規製品の一部に再使用される。また、再利用不可能な部品は再資源化工程に送られて、用途別にリサイクルされている。
【０００４】
近年、製造元と異なる業者により各現像所で引き取られた使用済み製品が回収され、未使用のパトローネを再装填したフイルム詰め替え品が出回っている。このフイルム詰め替え品は、外部に損傷が見られたり、写真フイルムの遮光が不完全であるなど、その品質に問題があることが指摘されている。また、フイルム詰め替え品は業者ごとに種々の改造が施されるため、メーカー側のリサイクル処理に適応できないという問題もあり、この改造品は廃棄する以外に処分する手立てがない。
【０００５】
そこで、１回使い切りというレンズ付きフイルムユニットの特性を考慮し、メーカー独自の規格で製造されたパトローネを採用することで、一般的なカメラ向けに市販されているパトローネを用いたフイルム詰め替え品の製造を防止することが検討されている。
【０００６】
現在販売されているレンズ付きフイルムユニットで使用されるパトローネは、そのスプールにスリット状のフイルム挿入口が設けられている。挿入口内部には写真フイルムの先端を引っ掛けるための突起と、引っ掛けられた写真フイルムを押さえるための突起が形成されている。このパトローネでは、スプールにフイルム先端を差し込むだけで写真フイルムが係止できる。また、パトローネの本体を予め製造しておき、パトローネ本体の外部からフイルム給送口にガイド部材を挿入すれば、パトローネ外部から写真フイルムを差し入れることができ、暗室下で行なうパトローネの製造工程を減らすことが可能である。
【０００７】
【発明が解決しようとする課題】
しかしながら、パトローネがメーカー独自の規格に準するものであっても、使用済みのレンズ付きフイルムユニットと、使用済みパトローネとが詰め替え業者によって回収された場合、上述した従来のスプール構造をしたパトローネでは、未露光の写真フイルムを外部から差し入れることが可能である。すなわち、回収されたパトローネに未露光の写真フイルムが簡単に再装填できるので、未使用状態のパトローネが製造されてしまい、フイルム詰め替え品の流通を防ぐことができないという問題がある。
【０００８】
本発明は、上記問題点を考慮してなされたもので、スプールに形成されたスリットに写真フイルムを差し込みにくくすることで、一度使用された空のパトローネに対して写真フイルムを再装填できないようにしたパトローネ用スプールを提供することを目的とする。
【０００９】
【課題を解決するための手段】
上記目的を達成するために、請求項１記載のパトローネ用スプールは、写真フイルムの先端部が挿入されるフイルム挿入口フイルム挿入口の縁の形状を工夫したもので、挿入口内部の壁面に係止突起が設けられている。この係止突起は、写真フイルムの先端部を差し込んだとき、写真フイルムの先端部に形成された係止穴に係合するとともに、この係合が外れないように抜け止め突起が写真フイルムの先端部の位置規制を行なう。フイルム挿入口の少なくとも一部の縁を曲げることにより、写真フイルムの先端部がその幅方向に関して平面状であるときには、前記スリットへの挿入が阻止されるようにし、パトローネ外部から差し込まれた写真フイルムがスプールに係止できないように構成している。
【００１０】
請求項２記載のパトローネ用スプールは、抜け止め突起の形状を工夫したもので、写真フイルムを光密に収納するパトローネ本体に回転自在に組み込まれ、写真フイルムの先端部が挿入されるフイルム挿入口が形成されたものであり、対向する壁面上に、一対の係止突起と抜け止め突起とがそれぞれ形成されたものである。１対の係止突起の間に入り込む高さで形成された抜け止め突起に、写真フイルムの先端部の挿入方向に対して垂直な障害面を設け、写真フイルムの先端部がその幅方向に関して平面状であるときには、フイルム挿入口に挿入されないように構成したものである。
【００１１】
【発明の実施の形態】
図１において、パトローネ１は、パトローネ本体２と、この中に収納される写真フイルム３とからなる。パトローネ本体２は、上蓋４、スプール５、本体筒６、底蓋７とから構成されている。本体筒６は円形に丸められた金属薄板からなり、その両端を円筒面の接線方向に折り曲げてフイルム給送口が形成される。その内側には、遮光用のテレンプ９が設けられている。
【００１２】
上蓋４と底蓋７には、開口部４ａ，７ａが設けられ、スプール５の上下両端は外部に突出する。底蓋７に形成された嵌合溝７ｂは、本体筒６の底部開口端に嵌め込まれ、同様に上蓋４の嵌合溝が本体筒６の上部開口端に嵌め込まれる。上蓋４と底蓋７は、本体筒６に嵌め込まれた後にカシメられて抜け止めされる。
【００１３】
スプール５は、写真フイルム３が巻き付けられるスプール本体１０と、遮光フランジ１１とから構成されている。スプール本体１０には、スプール穴１２とフイルム挿入口１３とが設けられている。写真フイルム３の先端には係止片１４が設けられ、この係止片１４に２つの係止穴１５が設けられている。係止片１４をフイルム挿入口１２に差し込むことで、写真フイルム３はその一端がスプール５に係止される。
【００１４】
図２において、スプール穴１１には係合溝１８が設けられている。係合溝１８は、カメラ側に設けられる巻上げ軸（図示なし）と合わせられ、巻上げ軸の回転をスプール５に伝達するためのものである。フイルム挿入口１３の奥には中空部１９が設けられている。中空部１９の壁上には、係止突起２０と抜け止め突起２１とが２つずつ設けられている。係止突起２０は、フイルム挿入口１３側にテーパー面を有し、テーパー面の逆側にフイルム引っ掛け用の窪みが形成されている。抜け止め突起２１は、係止突起２０が形成された壁と対向する壁上に突出形成されている。写真フイルム３は、係止突起２０に引っ掛けられると、抜け止め突起２１によって押さえられて簡単には抜けなくなる。
【００１５】
図３において、フイルム挿入口１３は、第１側縁２２、第２側縁２３、上縁２４，下縁２５を有する等間隔の蛇行スリットである。左の第１側縁２２及び右の第２側縁２３は曲線状をしており、中空部１９の縦幅よりも長く形成されている。上縁２４と下縁２５は同じ長さであり、中空部１９の横幅よりも小さい。第１側縁２２は、第１屈曲部２２ａと第２屈曲部２２ｂと第３屈曲部２２ｃとからなる。第２側縁２３は、第１屈曲部２３ａと第２屈曲部２３ｂと第３屈曲部２３ｃとからなる。
【００１６】
第１側縁２２の中央に位置する第２屈曲部２２ｂは、第２側縁２３に向かって最も突出している。基準線Ｌ１は、スプール５の回転軸に平行であり、第２屈曲部２２ｂの頂点Ｔ１の接線であり、この基準線Ｒ１は第２側縁２３と交わっている。基準線Ｒ１と交差した第２側縁２３上の点を交点ＩＳ１，ＩＳ２として図中に示している。交点ＩＳ１，ＩＳ２は、係止突起２０と抜け止め突起２１の間にそれぞれ位置しており、交点ＩＳ１と交点ＩＳ２との間の直線距離は係止片１４の幅よりも小さい。
【００１７】
次に、本発明の作用について説明する。パトローネ１の製造時には、上蓋４，底蓋７が本体筒６に取り付けられる前に、写真フイルム３を巻き付けたスプール５が本体筒６に装填される。写真フイルム３が巻き付けられるとき、初めに写真フイルム３がスプール５に係止される。写真フイルム３の先端にある係止片１４をフイルム挿入口１３に差し込み、係止突起２０を係止穴１５にくぐらせる。
【００１８】
第１側縁２２は第２側縁２３に向かって突出しており、その頂点Ｔ１からスプール５の回転軸方向にとった基準線Ｒ１が第２側縁２３に交差している。このため、係止片１４が平面状態のときには、その両端が第１側縁２２もしくは第２側縁２３に接触し、フイルム挿入口１３に係止片１４を差し込むことはできない。そこで、写真フイルム３を幅方向に曲げて撓ませ、係止片１４に曲率を与えた状態で係止片１４をフイルム挿入口１３に宛がう。
【００１９】
図４の二点鎖線図で示すように、係止片１４がフイルム挿入口１３にフィットするように曲げられると、係止片１４が中空部１９内に進入する。一度係止片１４がフイルム挿入口１３に差し込まれると、係止片１４は係止突起２０のテーパー面にガイドされながらスムーズに入り込んでいく。係止穴１５が係止突起２０の頂上に達した時、係止突起２０は係止穴１５をくぐり、係止片１４がスプール５に引っ掛けられる。
【００２０】
図４の実線図で示すように、係止片１４は、抜け止め突起２１によって係止突起２０とは逆側から押さえられる。係止突起２０及び抜け止め突起２１は、フイルム挿入口１３の幅の中間位置に達する高さで形成されているため、写真フイルム３の弾性によって係止片１４は係止突起２０に食い込み、写真フイルム３はスプール５から抜けなくなる。
【００２１】
なお、本発明では、フイルム挿入口１３の形状は蛇行スリットに限られず、縁が２本しかない三日月形状や「く」の字型をしたものでもよく、屈曲した縁とは、折れ曲がった縁や弓形に湾曲した縁を含む意味で用いている。また、抜け止め突起をスリット内部に設ける代わりに、その縁を局所的に突出させることで抜け止め突起を形成して写真フイルムを押さえ付けるようにしてもよい。
【００２２】
図５において、フイルム挿入口３０は、弓形に曲がった第１の縁３１と、ほぼ直線状をした第２の縁３２とを有しており、第２の縁３２には、第１の縁３１に向かって突き出た一対の抜け止め突起３２ａ，３２ｂが形成されている。抜け止め突起３２ａ，３２ｂは同じ高さであり、その頂点Ｔ２，Ｔ３に接する基準線Ｒ２は、第１の縁３１に点ＩＳ３，ＩＳ４で交わっている。基準線Ｒ２はスプールの回転軸と平行である。また、交点ＩＳ３と交点ＩＳ４との間の直線距離は、係止片１４の幅よりも小さい。
【００２３】
基準線Ｒ２が写真フイルム３が差し込まれる範囲内で第１の縁３１と交差しているので、フイルム挿入口３０に写真フイルム３を差し込む際には、上述した実施形態と同様に、係止片１４を幅方向に曲げて撓ませる必要がある。
【００２４】
次に第３の実施形態について説明する。図６、図７において、スプール本体３５は、中空部３６の入り口付近に湾曲面３７が形成されている。フイルム挿入口３８は、湾曲面３７による湾曲縁３９と直線縁４０とを有している。フイルム挿入口３８の内部には、１対の係止突起４１が設けられ、その間には１対の抜け止め突起４２が設けられている。
【００２５】
係止突起４１はその前方部が湾曲面３８上に乗り上げるように設けられ、ガイドとなるテーパー面４１ａと、後方部には引っ掛け爪４１ｂとを有している。係止突起４１と抜け止め突起４２とは、それぞれ中空部３６内で対向する壁面上に形成されている。抜け止め突起４２は、フイルム挿入口３８の側に障害面４２ａを有している。障害面４２ａは、中空部３８の壁面に対して垂直に形成され、係止片１４の挿入方向と直角をなす面である。
【００２６】
図８において、抜け止め突起４２は、その頂部からスプール本体３５の軸と平行な基準線Ｒ３をとった時、この基準線Ｒ３が係止突起４１と交差する高さで形成されている。このため、フイルム挿入口３８に係止片１４を平面状態のまま差し込もうとすると、係止片１４の両側部が湾曲縁３９もしくは障害面４２ａと衝突し、係止片１４が中空部３８内に入り込むことはない。一方、二点鎖線図で示すように、抜け止め突起４２を回避するように係止片１４を撓ませた時は、係止片１４がテーパー面３８ａを伝いながら係止突起４１の頂部に達し、実線図で示すように係止片１４は引っ掛け爪４１ｂで係止される。
【００２７】
次に第４の実施形態について、図８、図９を用いて説明する。矩形をしたフイルム挿入口４５の奥には、係止突起４６と抜け止め突起４７が設けられている。抜け止め突起４７には、係止片１４の挿入方向に直角な障害面４７ａが設けられている。抜け止め突起４７は、係止突起４６の頂部からスプールの軸方向にとった基準線Ｒ４と交差している。抜け止め突起４７は、基準線Ｒ４との間でオーバーラップ高さｈを有する高さで形成され、係止突起４６の間に入り込んでいる。これにより、係止片１４を差し込める隙間が略曲線状に入り組んで狭くなり、係止片１４を平坦な状態のままスプールに係止することはできない。
【００２８】
なお、第３及び第４の実施形態における障害面４２ａ，４７ａは、写真フイルムの挿入方向に対して垂直な面に限られず、抜け止め突起の頂部をフイルム挿入口側に突出させるとともに、抜け止め突起の根元部を窪ませるように形成することで逆テーパー面とすることで、抜け止め突起に衝突した係止片の差し込み妨害してもよい。
【００２９】
【発明の効果】
以上のように、本発明では、パトローネのスプールに形成されたフイルム挿入口の縁の形状や、抜け止め突起の形状を工夫しているので、フイルム先端が平面状のままではスプールに写真フイルムを係止することができない。パトローネの外部から差し込んだ写真フイルムをスプールに差し込むことができないので、使用済みのパトローネに写真フイルムを簡単に再装填することができなくなり、レンズ付きフイルムユニットのフイルム詰め替え品の流通を防ぐことができる。
【図面の簡単な説明】
【図１】パトローネの分解斜視図である。
【図２】スプールの構造を示す斜視図である。
【図３】フイルム挿入口の形状を説明するための平面図である。
【図４】フイルム係止時のフイルム挿入口の様子を示す平面図である。
【図５】フイルム挿入口の他の形態を示す平面図である。
【図６】第３実施形態における中空部の様子を示す斜視図である。
【図７】係止突起と抜け止め突起の側面図である。
【図８】フイルム挿入口の平面図である。
【図９】第４実施形態におけるフイルム挿入口の平面図である。
【図１０】係止突起と抜け止め突起の側面図である。
【符号の説明】
１　パトローネ
２　パトローネ本体
３　写真フイルム
５　スプール
１３，３０　フイルム挿入口
１４　係止片
１５　係止穴
１９　中空部
２０　係止突起
２１　抜け止め突起
２２　第１側縁
２３　第２側縁
２２ａ，２３ａ　第１屈曲部
２２ｂ，２３ｂ　第２屈曲部
２２ｃ，２３ｃ　第３屈曲部
Ｔ１，Ｔ２，Ｔ３　頂点
Ｒ１，Ｒ２，Ｒ３，Ｒ４　基準線
【図１】
2004012885.tif 000003
【図２】
2004012885.tif 000004
【図３】
2004012885.tif 000005
【図４】
2004012885.tif 000006
【図５】
2004012885.tif 000007
【図６】
2004012885.tif 000008
【図７】
2004012885.tif 000009
【図８】
2004012885.tif 000010
【図９】
2004012885.tif 000011
【図１０】
2004012885.tif 000012